(57)【要約】【課題】  従来のデータ配信方法では、データの配信元にデータを取得に来たユーザに対して課金したり個人情報を取得することは可能であるが、既にデータの配信元から取得したデータを複製し、データの配信元にデータを取得に来たユーザ以外の人々に配布された場合、不正に複製したデータ利用者が誰なのかを特定する事は不可能であった。【解決手段】  本発明では、データを配信する際に、配信データ中に配信ごとにユニークな識別番号生成し、この識別番号を配信データに埋め込み配信すると共に、この識別番号と利用者の個人情報とをリンクして保持しておく技術である。これにより、仮に配信データが不正に複製された場合、その出所を容易に調査できる。。【選択図】        図１
2006260505.tif 000002
【特許請求の範囲】
【請求項１】
コンピュータネットワークにおいてデータを配信するシステムにおいて、
利用者へのデータ配信時間や配信毎の連番などにより個々の配信を識別できるユニークな識別番号を生成することを特徴とする識別番号生成手段。
【請求項２】
コンピュータネットワークにおいてデータを配信するシステムにおいて、
請求項１に示す識別番号生成手段で生成したユニークな識別番号を配信するデータに埋め込み一体化させることを特徴とする識別番号埋込手段。
【請求項３】
コンピュータネットワークにおいてデータを配信するシステムにおいて、
請求項１に示す識別番号生成手段で生成したユニークな識別番号と、
データ利用者がデータ取得のために課金情報などとして入力した住所や氏名、年齢などの個人情報とを１対１で対応付け記憶することを特徴とする配信情報保持手段。
【請求項４】
コンピュータネットワークにおいてデータを配信するシステムにおいて、
データ内部に請求項２に示す識別番号埋込手段を用いて埋め込まれている識別番号を抽出する識別番号抽出手段を用いて抽出し、
この識別番号と請求項３に示す配信情報保持手段で保持されているデータ利用者の個人情報を照合する事で、
個々の配信データが誰を経由して受け渡しされたかを調査することを可能とするデータ識別を可能にしたデータ配信システム。
【請求項５】
コンピュータネットワークにおいてデータを配信するシステムにおいて、
データ利用者がデータと共に取得できるデータ伝播経路をデータ中に埋め込むことのできる専用のダウンロード用ソフトウェアを用いてダウンロードし、
このダウンロード用ソフトウェアがデータを利用者のコンピュータに保存する際、データ中にデータ伝播経路の情報を埋め込むことで、
個々の配信データが誰を経由して受け渡されたかを調査することを可能とするデータ識別を可能にしたデータ配信システム。
【請求項６】
コンピュータネットワークにおいてデータ配信をするシステムにおいて、
請求項４および請求項５に示す何れかの手段を用いて、
個々の配信データが誰を経由して受け渡しされたかを調査することを可能とするデータ識別を可能にしたデータ配信システム。
【発明の詳細な説明】
【技術分野】
【０００１】  本発明は、コンピュータネットワークを介した有料・無料を問わず、データ利用者がデータを取得する際に住所や氏名、年齢などの個人情報を入力することで、プログラムの配信、音楽情報の配信、書籍情報の配信など、コンピュータネットワークを介したあらゆるデータの配信システムにおいて利用可能である。【０００２】  また、データ利用者がデータを取得する際に個人情報を入力するだけでなく、個人ＩＤ番号などで、データ取得者を識別する別手段がある場合のデータの配信システムにおいて利用可能である。
【背景技術】
【０００３】  従来、コンピュータネットワークを介したデータを配信する場合、情報やデータの配信元にデータを取得に来たユーザに対して料金の課金や、利用者の個人情報などを入力させることにより、そのデータの利用する権利を与えるデータ配信方法が一般的であった。
【発明の開示】
【発明が解決しようとする課題】
【０００４】  このように従来のデータ配信方法では、データの配信元にデータを取得に来たユーザに対して課金したり個人情報を取得することは可能であるが、既にデータの配信元から取得したデータを複製し、データの配信元にデータを取得に来たユーザ以外の人々に配布された場合、不正に複製したデータ利用者が誰なのかを特定する事は不可能であった。
【課題を解決するための手段】
【０００５】  上記課題を解決するために、本発明では、データ識別を可能にしたデータ配信システムに係わる第１の手段として、コンピュータネットワークにおいてデータを配信するシステムにおいて、利用者へのデータ配信時間や配信毎の連番などにより個々の配信を識別できるユニークな識別番号を生成することを特徴とする識別番号生成手段を採用する。【０００６】  本発明のデータ識別を可能にしたデータ配信システムに係わる第２の手段として、コンピュータネットワークにおいてデータを配信するシステムにおいて、上記第１の手段に示す識別番号生成手段で生成したユニークな識別番号を配信するデータに埋め込み一体化させることを特徴とする識別番号埋込手段を採用する。【０００７】本発明のデータ識別を可能にしたデータ配信システムに係わる第３の手段としてコンピュータネットワークにおいてデータを配信するシステムにおいて、上記第１の手段に示す識別番号生成手段で生成したユニークな識別番号と、データ利用者がデータ取得のために課金情報などとして入力した住所や氏名、年齢などの個人情報とを１対１で対応付け記憶することを特徴とする配信情報保持手段を採用する。【０００８】本発明のデータ識別を可能にしたデータ配信システムに係わる第４の手段としてコンピュータネットワークにおいてデータを配信するシステムにおいて、データ内部に上記第２の手段に示す識別番号埋込手段を用いて埋め込まれている識別番号を抽出する識別番号抽出手段を用いて抽出し、この識別番号と上記第３の手段に示す配信情報保持手段で保持されているデータ利用者の個人情報を照合する事で、個々の配信データが誰を経由して受け渡しされたかを調査することを可能とするデータ識別を可能にしたデータ配信システムを採用する。【０００９】本発明のデータ識別を可能にしたデータ配信システムに係わる第５の手段としてコンピュータネットワークにおいてデータを配信するシステムにおいて、データ利用者がデータと共に取得できるデータ伝播経路をデータ中に埋め込むことのできる専用のダウンロード用ソフトウェアを用いてダウンロードし、このダウンロード用ソフトウェアがデータを利用者のコンピュータに保存する際、データ中にデータ伝播経路の情報を埋め込むことで、個々の配信データが誰を経由して受け渡しされたかを調査することを可能とするデータ識別を可能にしたデータ配信システムを採用する。【００１０】本発明のデータ識別を可能にしたデータ配信システムに係わる第６の手段としてコンピュータネットワークにおいてデータを配信するシステムにおいて、上記第４の手段に示す手段および上記第５の手段に示す何れかの手段を用いて、個々の配信データが誰を経由して受け渡しされたかを調査することを可能とするデータ識別を可能にしたデータ配信システムを採用する。
【発明を実施するための最良の形態】
【００１１】  本発明のデータ識別を可能にしたデータ配信システムは、これまでもインターネット上などで行われているデータ配信方式と同様の手法を用いて実施可能である。既存のデータ方式との違いは、本発明に係る第２の手段に記す識別信号埋込手段を用いて配信するデータ内に識別信号を埋め込み配信するのみである。
【実施例】
【００１２】  以下、図面を参照して、本発明に係わる本発明に係わるデータ識別を可能にしたデータ配信システムの実施例を説明する。【００１３】  図１は、本発明のデータ識別を可能にしたデータ配信システムについてシステム構成の概要を示した図である。ここでは、利用者がインターネットを利用して有料コンテンツである配信データの配信を受ける事を事例に説明する。【００１４】  利用者４は、まずインターネットを用いて所望の配信データ２を配信しているサイトの配信サーバ１に接続する。そして、所望の配信データ２の配信を受けるため、配信データ２を指定すると共に氏名や支払方法などの個人情報を配信サーバ１内の個人情報登録手段１４に対して登録する。【００１５】  個人情報登録手段１４では、利用者４から入力された氏名や支払方法などの個人情報を配信手段保持手段１３に登録する。個人情報の登録が完了すると、配信サーバ１では、利用者４が所望した配信データ２の配信準備を行う。行うことは、まず、識別番号生成手段１１で配信毎のユニークな番号を生成し、配信番号埋込手段１２を用いて、生成した識別番号を配信データ２内に埋め込む処理を行い、識別番号を埋め込まれた配信データ３を利用者４に配信する。【００１６】  それと共に、配信サーバ１では、配信データ２に埋め込んだ識別番号と、配信情報保持手段１３に登録された利用者４の情報をリンクさせた形で配信手段保持手段１３に登録する。【００１７】  ここで、識別番号生成手段１１が生成する識別番号であるが、これは、配信毎で重ならないユニークな番号であればよい。そのため、例えば配信毎の連番とか、配信したサーバ名と配信日時分秒という時間の組み合わせとか、簡単な方法で実現可能である。【００１８】  以上で、利用者４は自らが所望する配信データ２を入手することができる。しかし、実際に利用者４が入手した配信データ３には識別番号が含まれているが、配信データの利用には何ら差し支えのないように埋め込まれているため、識別番号を埋め込まれていない通常とおりデータとして利用できる。【００１９】  ここで、利用者４が友人Ａにこの識別番号埋込配信データ３をコピーして渡したとしよう。その友人Ａは識別番号埋込配信データ３を利用するが、前記のとおりの手段で識別番号埋込配信データ３を入手したので、当然、識別番号埋込配信データ３の利用料金は支払っていないことになる。この料金未支払いが何らかの状況で発覚したと仮定しよう。【００２０】  このとき、調査機関は友人Ａがどのような方法で識別番号埋込配信データ３を入手したかを調査する事になる。しかし、仮に友人Ａが利用しているデータが識別番号埋込配信データ３ではなく、配信データ２であった場合、調査機関は友人Ａの自白による調査しかできず、データの出所を確定するには事実上不可能な場合が多々あった。【００２１】  しかし、本発明に係るデータ識別を可能にしたデータ配信システムを用いて、識別番号埋込配信データ３を配信しておけば、配信データ解析部５を用いて、識別信号抽出手段５２を用いて識別番号埋込配信データ３中の識別番号を抽出できる。【００２３】  そして、識別番号埋込配信データ３の運営会社の協力を要請し、配信情報保持手段１３に登録されている��別番号と識別信号抽出手段５２を用いて抽出した識別番号を、識別番号照合手段５１を用いて照合すれば、誰から識別番号埋込配信データ３を入手したかが明確になり、調査がスムースかつ正確に行える。【００２４】  さらに、調査機関が仮に友人Ａが識別番号埋込配信データ３を配信サーバ１を利用した利用者４から直接受け取ったものではなく、何人かを介して受け取った場合を調査する場合でも、これまでは、不正利用が発覚した人から順に調査していくしかなかったが、本発明に係るデータ識別を可能にしたデータ配信システムを用いれば、不正利用が発覚した人からと配信サーバ１を利用した利用者４の双方から調査できるため、これまで以上のスムースな調査が可能となる。【００２５】  また、識別番号埋込配信データ３に埋め込んでいるのは識別番号であり、配信サーバ１を利用した利用者４の個人情報は、配信サーバ１内の配信情報保持手段１３にのみ存在するので、識別番号埋込配信データ３から利用者４の個人情報が漏洩する心配はない。
【産業上の利用可能性】
【００２６】  以上のように本発明に係るデータ識別を可能にしたデータ配信システムを用いれば、配信データに対してその出所を明確にできるため、不正コピーなどの調査が容易になる。そして調査の容易性が抑制力となり配信データの不正コピーの利用軽減が見込まれる。
本発明に係るデータ識別を可能にしたデータ配信システムを用いて得られるこの特性は、インターネットなどを用いて配信される音楽データ配信や、画像データ配信、プログラムデータ配信など、ありとあらゆる電子データの配信に適用可能である。
【図面の簡単な説明】
【００２７】
【図１】  本発明の本発明に係るデータ識別を可能にしたデータ配信システムの概略システムの構成を示した図である。
【符号の説明】
【００２８】１      配信サーバ
１１    識別番号生成手段
１２    識別番号埋込手段
１３    識別番号保持手段
１４    個人情報登録手段
２      配信データ
３      識別番号埋込配信データ
４      利用者
５      配信データ解析部
５１    識別番号照合手段
５２    識別番号抽出手段
【図１】
2006260505.tif 000003